(57)【要約】      （修正有）【課題】複数の作業者ごとに試験内容を簡単に制限することができる材料試験機を提供する。【解決手段】作業者の指紋データを採取して認証する。認証された作業者に対して予め定められた試験内容をモニタ２４に表示する。表示された試験内容にしたがって作業者は試験条件を設定する。試験条件は演算処理装置２１に記憶される。モータ２７は設定された試験条件に基づいて駆動制御され、試験片に負荷が与えられる。【選択図】図２
2005003580.tif 000002
【特許請求の範囲】
【請求項１】
作業者を認証する認証手段と、
認証手段で認証された作業者に対して予め定められた試験条件もしくは試験内容を表示する表示手段と、
表示手段で表示された試験条件もしくは試験内容にしたがって作業者が設定した試験条件を記憶する記憶手段と、
記憶手段に記憶された試験条件に基づいて試験片に負荷を与える負荷手段とを備え、
認証手段は、作業者の生体認証または無線で送られてくる識別番号による認証を行うことを特徴とする材料試験機。
【請求項２】
作業者を認証する認証手段と、
作業者名と試験条件とを対応付けて記憶する記憶手段と、
認証手段で認証された作業者に基づいて記憶手段から検索した試験条件を設定する設定手段と、
設定された試験条件にしたがって試験片に負荷を与える負荷手段とを備え、
認証手段は、作業者の生体認証または無線で送られてくる識別番号による認証を行うことを特徴とする材料試験機。
【請求項３】
請求項１または２の材料試験機において、
認証手段は、作業者を特定する識別番号が記録された無線ＩＤカードから送信される識別番号を受信する受信手段を含み、受信手段で受信した識別番号で作業者を認証することを特徴とする材料試験機。
【請求項４】
請求項１または２の材料試験機において、
認証手段は、作業者のバイオメトリクス（生体認証）を検出する検出手段を含み、検出手段で検出した生体情報で作業者を認証することを特徴とする材料試験機。
【発明の詳細な説明】
【０００１】
【発明の属する技術分野】
本発明は、種々の作業者が１台の材料試験機を使用する際の試験条件の設定技術に関する。
【０００２】
【背景技術】
ゴムやプラスチックなどの試験片を試験する場合、複数の作業者が同一の材料試験機を共通に使用することがある。材料試験機は設定された試験条件にしたがって試験片に対して試験を行い、データ処理を行って結果を出力する。
【０００３】
材料試験機を操作する作業者として、熟練者、初心者、正社員あるいは派遣された者など種々の作業者が存在する。そこで従来から、作業者をユーザ名とパスワードで認証し、認証した作業者ごとに異なるレベルの作業を行えるようにしたものが知られている（特許文献１）。なお、このような材料試験機を、認証による作業制限モードを備える材料試験機と呼ぶ。
【０００４】
しかしながら、試験を行う都度パスワードを入力する作業が煩わしく、認証による作業制限モードが積極的に使用されていないのが現状である。
【０００５】
【特許文献１】特開２００２−３３４０２０号公報
【０００６】
本発明は、認証による作業制限モードが積極的に使用できるようにする材料試験機を提供するものである。
【０００７】
【課題を解決するための手段】
（１）請求項１の発明による材料試験機は、作業者を認証する認証手段と、認証手段で認証された作業者に対して予め定められた試験条件もしくは試験内容を表示する表示手段と、表示手段で表示された試験条件もしくは試験内容にしたがって作業者が設定した試験条件を記憶する記憶手段と、記憶手段に記憶された試験条件に基づいて試験片に負荷を与える負荷手段とを備え、認証手段は、作業者の生体認証または無線で送られてくる識別番号による認証を行うことを特徴とする。
（２）請求項２の発明による材料試験機は、作業者を認証する認証手段と、作業者名と試験条件とを対応付けて記憶する記憶手段と、認証手段で認証された作業者に基づいて記憶手段から検索した試験条件を設定する設定手段と、設定された試験条件にしたがって試験片に負荷を与える負荷手段とを備え、認証手段は、作業者の生体認証または無線で送られてくる識別番号による認証を行うことを特徴とする。
（３）上記認証手段は、作業者を特定する識別番号が記録された無線ＩＤカードから送信される識別番号を受信する受信手段を含み、受信手段で受信した識別番号で作業者を認証するようにしてもよい。
（４）上記認証手段は、作業者のバイオメトリクス（生体認証）を検出する検出手段を含み、検出手段で検出した生体情報で作業者を認証してもよい。
【０００８】
【発明の実施の形態】
―第１の実施の形態―
図１〜図６により本発明の一実施の形態による材料試験機を説明する。図１は材料試験機の正面図である。基台１の両側に一対の支柱２が立設され、一対の支柱２の上端はクロスヨーク３で接続されている。一対の支柱２の内部には不図示のねじ棹がそれぞれ支柱２に沿って配設され、クロスヘッド４にそれぞれ内設されているナットにねじ棹が螺合されている。すなわち、ねじ棹間にクロスヘッド４が横架され、ねじ棹の回転によりクロスヘッド４は昇降する。クロスヘッド４の下面にはロードセル６を介して上つかみ具７が設置され、基台１には下つかみ具８が設置されている。クロスヘッド４を上昇させて上下つかみ具間で試験片ＴＰに引張負荷を加える。このような材料試験機は制御装置２０に設定された試験条件にしたがって制御される。
【０００９】
上記試験条件は試験条件ファイルデータベースに書き込まれ、複数の試験条件ファイルが制御装置２０に登録可能とされる。材料試験機はこの試験条件にしたがって試験を行う。試験条件として、引張／圧縮／曲げの試験種別、試験片材質、試験片寸法形状、試験速度、最大荷重、最大変位、データの出力形式などが記録される。
【００１０】
図２に示すように、制御装置２０は、主にＣＰＵで構成される演算処理装置２１と、キーボード２２と、試験開始ボタン２３ａや試験条件設定ボタン２３ｂを有する制御パネル２３と、試験条件や試験結果を表示するモニタ２４と、作業者の指紋を読み取る指紋読取装置２５とを有する。演算処理装置２１は通信装置２６を介してＬＡＮ３１で他の複数のパソコン３２と接続されている。モータ２７は、ねじ棹を駆動するための電動モータであり、演算処理装置２１によりその駆動が制御される。
【００１１】
試験内容を示す指示内容は、作業者の上長である試験責任者が自分のパソコン３２からＬＡＮ３１を経由して演算処理装置２１に入力する。図３は試験内容ファイルデータベースの一例であり、試験内容ファイル名と作業者名とを対応付けて登録される。そして、試験を実行する際、指紋読取装置２５で読み取った指紋データから作業者を特定し、その作業者の試験内容ファイルが読み出される。
【００１２】
たとえば、作業者名ＡＢＣＤが認証されると、ファイル名ａｂｃｄ．ｔｘｔの試験内容ファイルが読み出されてモニタ２４に文字データとして表示される。なお、試験内容ファイルはたとえばテキストデータであり、
▲１▼伸び速度一定で制御する。
▲２▼破断するまで荷重を与える。
▲３▼最大荷重を算出する。
などの試験条件が具体的に記述されている。
【００１３】
第１の実施の形態の材料試験機では、モニタ２４に表示された試験内容にしたがって、作業者がキーボード２２などから試験条件を作成し、試験条件データベースに登録する。図５は試験条件ファイルデータベースの一例を示し、ファイル名がファイル番号順に登録されている。
【００１４】
なお、作業者は試験に先立って自分の指紋データを演算処理装置２１に登録しておく必要がある。すなわち、指紋読取装置２５で指紋データを読み取り、演算処理装置２１の指紋データベースに作業者名とともに登録する。図４は指紋データベースの一例であり、指紋データは作業者名と対応付けて登録される。
【００１５】
図６は試験条件設定ボタン２３ｂが操作されると演算処理装置２１で実行されるフローチャートを示す。ステップＳ１において、指紋読取装置２５で読み取った指紋のデータを取り込む。ステップＳ２において、読み取った指紋データが登録されているか判定する。すなわち、読み取った指紋データと指紋データベース（図４）の指紋データとを比較する。一致する指紋データがあれば、その作業者名を特定してステップＳ３に進む。ステップＳ３では、図３の試験内容ファイルデータベースを検索し、ステップＳ４において、一致した指紋データの登録者に対するファイルが存在するか判定する。存在する場合は、ステップＳ５に進み、その試験内容ファイルデータベースの内容をモニタ２４に表示する。
【００１６】
次いで、ステップＳ６において、作業者が試験条件設定モードに移行する操作を行ったか否かを判定する。ステップＳ６が肯定されると、すなわち、試験条件設定ボタン２３ｂが操作されたことが判定されると、ステップＳ７において、入力された試験条件を試験条件ファイルデータベースに登録する。試験条件は、モニタ２４の試験内容を参照して作業者が作成し、図５に示すようにファイル名をつけて登録される。図５は試験条件ファイルデータベースを示す図である。ステップＳ８において、試験開始ボタン２３ａの操作がなされたかを判定する。試験開始ボタン２３ａが操作されたことが判定されると、ステップＳ９に進む。
【００１７】
ステップＳ９では、設定された試験条件にしたがって試験が行われる。たとえば、所定のサンプリングピッチで試験片の伸びを変位計から入力し、伸び速度が一定となるように試験片に負荷を与える。そして、荷重をロードセルから入力して伸びとともにデータ記録する。ステップＳ１０において試験終了を判定する。ステップＳ１０で試験終了が判定されるまで試験を続行する。ステップＳ１０で試験終了が判定されると試験を終了し、ステップＳ１１において、試験結果を予め設定した出力形式で処理してモニタ２４に表示する。たとえば、採取したデータに基づいて、最大荷重を算出したり、弾性率を算出して表示する。
【００１８】
ステップＳ２が否定されたときは、ステップＳ１２において、指紋データは登録されていないこと、すなわち、作業者が認証できなかったことをモニタ２４に表示する。また、ステップＳ４が否定されたときは、認証はされたが該当する試験内容ファイルが存在しないことをモニタ２４に表示する。
【００１９】
以上説明した第１の実施の形態によれば、指紋読取装置２５で読み込まれた指紋データに基づいて作業者を特定して認証し、特定された作業者の試験内容ファイルの内容をモニタ２４に表示するようにした。したがって、作業者は、従来のようにキーボード２２からパスワードを入力することなく、モニタ２４に表示された試験内容にしたがって試験条件を設定することができ、上長により指示された試験条件にしたがった試験が可能となる。
【００２０】
なお、使用する試験条件ファイル名、たとえば、図５の試験条件ファイル名ｐｑｒ．ｔｅｓを試験内容として登録しておき、作業者が試験条件ファイルデータベースそのファイル名の試験条件を選択して設定するようにしてもよい。この場合、ファイル名に代えて図５の試験条件ファイル番号を試験内容として登録してもよい。
【００２１】
―第２の実施の形態―
第２の実施の形態による材料試験機では、読み取った指紋データに基づいて認証された作業者に対する試験条件ファイル名を図７の試験条件ファイルデータベースから検索し、検索された試験条件を材料試験機に設定して試験を行うようにしたものである。第１の実施の形態と相違する点を主に説明する。
【００２２】
試験条件は、作業者の上長である試験責任者が自分のパソコン３２からＬＡＮ３１を経由して演算処理装置２１に入力する。図７に示すように、試験条件のファイル名は作業者に対応付けて登録される。そして、試験を実行する際、指紋読取装置２５で読み取った指紋データから作業者を認証し、図７の試験条件ファイルデータベースから、認証された作業者の試験条件ファイルが読み出される。
【００２３】
図８は第２の実施の形態による材料試験機で実行される処理手順を示すフローチャートである。図６のフローチャートと同様な箇所には同一の符号を付して相違点を主に説明する。
【００２４】
ステップＳ２で読み込んだ指紋が既登録であれば、ステップＳ３Ａにおいて、図７の試験条件データベースから、作業者名で試験条件ファイルデータベースを検索する。ステップＳ４Ａにおいて、一致した指紋データの登録者に対する試験条件ファイルが存在するか判定する。存在する場合は、ステップＳ５Ａに進み、その試験条件ファイルの内容をモニタ２４に表示する。そして、ステップＳ７Ａでその試験条件を演算処理装置２１に設定して、ステップＳ８以降の処理で試験を行う。
【００２５】
以上説明した第２の実施の形態によれば、指紋読取装置２５で読み込まれた指紋データに基づいて作業者を認証し、特定された作業者に対して登録されている試験条件ファイルを材料試験機に設定することができ、したがって、作業者は、従来のようにキーボード２２からパスワードを入力することなく、上長により指示された試験条件にしたがった試験を行うことができる。
【００２６】
以上では、認証した作業者に対して予め登録されている試験内容ファイルデータベースや試験条件ファイルデータベースを検索するようにしたが、本発明はこれに限定されない。たとえば、認証した作業者を熟練度などに応じて３段階に分類し、各段階ごとに設定した試験条件の設定を許可するようにしてもよい。第１レベルでは、材料試験機で使用できる全ての機能の使用を許可し、第２レベルでは、一部の機能の使用を制限し、第３レベルでは、さらに限定した機能のみの使用を許可する。第３レベルでは、信頼性において重要な意味を持つ試験結果の削除を禁止し、再試験時の試験条件変更を許可しないようにすることができる。
【００２７】
キーボードなどを用いたパスワード入力などによる認証以外の認証であれば、指紋による認証に限定されない。たとえば、虹彩認証、顔認証，声紋認証などいわゆるバイオメトリクス（生体認証）と呼ばれる認証を採用することができる。この場合、指紋読込装置に代えて、虹彩読込装置、顔撮像装置、声紋入力装置を使用する。あるいは、識別番号を記録した無線式のＩＤカードにより作業者の識別番号を材料試験機に送信してもよい。この場合、材料試験機に受信機を設ける。
【００２８】
なお以上では、クロスヘッド４を電動モータ２７で駆動して試験片を負荷する負荷手段を示したが、負荷手段は油圧で負荷を与えるものでもよい。なお、モニタ２４が表示手段に相当し、演算処理装置２１の図示しないメモリが記憶手段に相当する。
【００２９】
【発明の効果】
以上説明したように本発明によれば、従来のように作業者を識別するためのキーボード入力操作が不要となるから、作業者ごとに試験内容を制限するモードを使用した試験を行いやすい。
【図面の簡単な説明】
【図１】本発明による材料試験機の一実施の形態を示す図
【図２】図１の制御装置を説明するブロック図
【図３】試験内容ファイルデータベースの一例を示す図
【図４】指紋データベースの一例を示す図
【図５】試験条件ファイルデータベースの一例を示す図
【図６】第１の実施の形態の処理手順を示すフローチャート
【図７】第２の実施の形態における試験条件ファイルデータベースの一例を示す図
【図８】第２の実施の形態の処理手順を示すフローチャート
【符号の説明】
４：クロスヘッド            ７：上つかみ具
８：下つかみ具            ２０：制御装置
２１：演算処理装置          ２５：指紋読込装置
【図１】
2005003580.tif 000003
【図２】
2005003580.tif 000004
【図３】
2005003580.tif 000005
【図４】
2005003580.tif 000006
【図５】
2005003580.tif 000007
【図６】
2005003580.tif 000008
【図７】
2005003580.tif 000009
【図８】
2005003580.tif 000010